(57)【要約】【課題】大量に供給する輸液を一定の温度に加温しつつ供給する。【解決手段】輸液を貯留する輸液容器４を収容する保温室１３と、該保温室１３に配置され輸液容器４内に貯留された状態の輸液を加熱する加熱部１４とを備える輸液加温装置１を提供する。【選択図】図２
2009056286.tif 000002
【特許請求の範囲】
【請求項１】
輸液を貯留する輸液容器を収容する保温室と、
該保温室に配置され前記輸液容器内に貯留された状態の輸液を加熱する加熱部とを備える輸液加温装置。
【請求項２】
前記加熱部が、前記輸液容器に密着させられる伝熱部材と、該伝熱部材を加熱するヒータとを備える請求項１に記載の輸液加温装置。
【請求項３】
前記保温室が断熱部材により覆われている請求項１または請求項２に記載の輸液加温装置。
【請求項４】
前記輸液容器内に貯留された状態の輸液の温度を検出する温度センサと、
該温度センサの検出結果に応じて前記加熱部を制御する制御部とを備える請求項１から請求項３のいずれかに記載の輸液加温装置。
【請求項５】
前記温度センサが、前記輸液容器に備えられた輸液出口近傍に配置されている請求項４に記載の輸液加温装置。
【請求項６】
前記温度センサによる検出結果を表示する温度表示部を備える請求項４または請求項５に記載の輸液加温装置。
【請求項７】
前記温度センサにより検出された輸液の温度が所定の温度範囲外となったときに、外部に対して報知する警報部を備える請求項４から請求項６のいずれかに記載の輸液加温装置。
【請求項８】
前記保温室の側壁に開閉可能な扉が設けられ、
該扉に前記加熱部が設けられるとともに、
該扉が閉じられた状態で、該扉とこれに対向する側壁との間の間隔が、輸液を貯留した輸液容器の厚さ寸法より小さく設定されている請求項１から請求項７のいずれかに記載の輸液加温装置。
【請求項９】
前記保温室に、前記輸液容器を吊り下げて支持する容器支持部が備えられ、
該容器支持部が、保温室内から上方に引き出された引出位置と、保温室内に収容された収容位置との間で移動可能に設けられている請求項１から請求項８のいずれかに記載の輸液加温装置。
【請求項１０】
前記保温室に、該保温室の内部空間を上方に開口させる上部開閉扉が設けられ、
該上部開閉扉に前記容器支持部が固定されている請求項９に記載の輸液加温装置。
【請求項１１】
生体組織を輸液により洗浄する洗浄容器と、
該洗浄容器内で洗浄された生体組織を酵素により消化する消化容器と、
前記洗浄容器および／または前記消化容器内に輸液を供給する輸液供給部とを備え、
該輸液供給部が、請求項１から請求項１０のいずれかに記載の輸液加温装置を備える細胞処理装置。
【発明の詳細な説明】
【技術分野】
【０００１】
本発明は、輸液加温装置および細胞処理装置に関するものである。
【背景技術】
【０００２】
従来、リンゲル輸液や輸血液を体温に合わせて加温する輸液加温装置が知られている（例えば、特許文献１参照。）。
この輸液加温装置は、リンゲル輸液や輸血液を収容する輸血バッグと、人体に穿刺される注射針との間の連結管に配置された加温部を備え、連結管内を流動するリンゲル液や輸血液を、その流動の間に人体の温度まで加温するようになっている。
【０００３】
【特許文献１】特開２００３−２１０５８０号公報
【発明の開示】
【発明が解決しようとする課題】
【０００４】
しかしながら、特許文献１に開示されている輸液加温装置は、極めて遅いペースで人体に点滴されるリンゲル輸液や輸血液を加温するものであるため、大量の輸液を供給する場合には適していない。すなわち、大量の輸液を短時間で供給する場合には、連結管に流れる流量を大きくする必要があるが、連結管の流通断面積を大きくすると、短時間で効率的に加温することができない。その結果、連結管の長さを極めて長くする必要があり、使い捨てにする場合には無駄が多いという問題もある。また、そのような長い連結管を加温部に装着することも困難であり、装着作業に時間がかかるとともに、加温部からの熱を有効に輸液の加温に利用することも困難になるという問題がある。
【０００５】
本発明は、上述した事情に鑑みてなされたものであって、大量に供給する輸液を一定の温度に加温しつつ供給することができる輸液加温装置および細胞処理装置を提供することを目的としている。
【課題を解決するための手段】
【０００６】
上記目的を達成するために、本発明は以下の手段を提供する。
本発明は、輸液を貯留する輸液容器を収容する保温室と、該保温室に配置され前記輸液容器内に貯留された状態の輸液を加熱する加熱部とを備える輸液加温装置を提供する。
本発明によれば、加熱部の作動により、輸液容器内に貯留された状態の輸液を保温室内において加熱するので、連結管内を流動中に加熱する必要がなく、加温状態とされた大量の輸液を供給することが可能となる。
【０００７】
上記発明においては、前記加熱部が、前記輸液容器に密着させられる伝熱部材と、該伝熱部材を加熱するヒータとを備えることとしてもよい。
このようにすることで、ヒータからの熱が伝熱部材を介して輸液容器に伝達され、輸液容器内の輸液を効率的に加温することができる。伝熱部材としては、金属板のように熱伝導率の高い部材を適用することができる。
【０００８】
また、上記発明においては、前記保温室が断熱部材により覆われていることとしてもよい。
このようにすることで、保温室内において加熱部により発生された熱量が断熱部材によって外部に漏れることが防止され、保温室内の輸液容器内に収容されている状態の輸液を効率よく加温することができる。
【０００９】
また、上記発明においては、前記輸液容器内に貯留された状態の輸液の温度を検出する温度センサと、該温度センサの検出結果に応じて前記加熱部を制御する制御部とを備えることとしてもよい。
このようにすることで、温度センサにより輸液の温度が検出され、検出された温度に基づいて制御部の作動により加熱部が制御される。これにより、輸液容器内に貯留された状態の輸液の温度を一定に維持することが可能となる。ここで、輸液の温度の検出は、輸液容器を介して間接的に行われる。
【００１０】
また、上記発明においては、前記温度センサが、前記輸液容器に備えられた輸液出口近傍に配置されていることとしてもよい。
このようにすることで、輸液容器に貯留された輸液が、輸液出口から外部に排出されて輸液容器内の輸液量が減っても、温度センサにより輸液容器内の輸液の温度を精度よく検出することが可能となる。
【００１１】
また、上記発明においては、前記温度センサによる検出結果を表示する温度表示部を備えることとしてもよい。
このようにすることで、温度表示部に表示された温度センサの検出結果を観察することにより、輸液温度が所定範囲内に維持されていることを容易に確認することができる。
【００１２】
また、上記発明においては、前記温度センサにより検出された輸液の温度が所定の温度範囲外となったときに、外部に対して報知する警報部を備えることとしてもよい。
このようにすることで、輸液の温度が所定の温度範囲外となったときには、警報部の作動により、その旨が外部に報知されるので、オペレータは容易に装置の異常を認識することができる。
【００１３】
また、上記発明においては、前記保温室の側壁に開閉可能な扉が設けられ、該扉に前記加熱部が設けられるとともに、該扉が閉じられた状態で、該扉とこれに対向する側壁との間の間隔が、輸液を貯留した輸液容器の厚さ寸法より小さく設定されていることとしてもよい。
【００１４】
このようにすることで、保温室の側壁に設けられた扉を開いて輸液容器を保温室内に収容し、その後扉を閉じることにより、輸液容器が保温室内の扉と側壁との間に挟まれる。扉を閉じた状態では、扉とこれに対向する側壁との間の間隔が輸液容器の厚さ寸法より小さいので、扉を開いて間隔を広げることにより、輸液容器の保温室内への収容を容易にすることができる。
【００１５】
また、扉が閉じられることにより、輸液容器には扉および側壁が密着させられる。この場合において、扉には加熱部が設けられているので、加熱部の熱を密着している輸液容器に効率的に伝達することができ、輸液容器内の輸液を効率的に加温することができる。
【００１６】
また、上記発明においては、前記保温室に、前記輸液容器を吊り下げて支持する容器支持部が備えられ、該容器支持部が、保温室内から上方に引き出された引出位置と、保温室内に収容された収容位置との間で移動可能に設けられていることとしてもよい。
このようにすることで、容器支持部を引出位置に配置して輸液容器を吊り下げ状態に支持させた後に、容器支持部を収容位置まで下降させることにより、輸液容器を保温室内に収容することができる。この場合に、容器支持部を引出位置まで引き出すことにより、容器支持部への輸液容器の取付作業を容易にすることができる。
【００１７】
また、上記発明においては、前記保温室に、該保温室の内部空間を上方に開口させる上部開閉扉が設けられ、該上部開閉扉に前記容器支持部が固定されていることとしてもよい。
このようにすることで、上部開閉扉を引き上げると、保温室の内部空間が上方に開口されるとともに、上部開閉扉とともに容器支持部が引出位置まで引き上げられ、容器支持部への輸液容器の取付作業を容易にすることができる。また、容器支持部を収容位置まで引き下げることにより、上部開閉扉によって保温室の上部の開口が閉じられる。したがって、輸液容器の保温室への収容作業を容易に行うことができる。
【００１８】
また、本発明は、生体組織を輸液により洗浄する洗浄容器と、該洗浄容器内で洗浄された生体組織を酵素により消化する消化容器と、前記洗浄容器および／または前記消化容器内に輸液を供給する輸液供給部とを備え、該輸液供給部が、上記いずれかの輸液加温装置を備える細胞処理装置を提供する。
【００１９】
本発明によれば、輸液供給部に備えられた輸液加温装置により、輸液容器内に収容された状態の輸液が加温状態に維持されるので、輸液供給部の作動により、一定の温度に加温された大量の輸液を洗浄容器および／または消化容器内に供給することができる。これにより、洗浄容器内における生体組織の洗浄作業および消化容器内における生体組織の消火作業を円滑に行うことが可能となる。
【発明の効果】
【００２０】
本発明によれば、大量に供給する輸液を一定の温度に加温しつつ供給することができるという効果を奏する。
【発明を実施するための最良の形態】
【００２１】
本発明の一実施形態に係る輸液加温装置１および細胞処理装置２について、図１〜図１３を参照して以下に説明する。
本実施形態に係る輸液加温装置１は、図１に示されるように、細胞処理装置２に備えられている。
【００２２】
本実施形態に係る細胞処理装置２は、図１に示されるように、脂肪組織のような生体組織を収容して洗浄および消化を行う洗浄・消化容器（洗浄容器、消化容器）３と、リンゲル輸液あるいは生理食塩水等の輸液を貯留する輸液容器４と、該輸液容器４内の輸液を加温する輸液加温装置１と、該輸液容器４内の輸液を洗浄・消化容器３内に供給等するための配管５、ポンプ６およびバルブ７と、洗浄・消化容器３内において消化された結果、得られた細胞懸濁液から細胞を分離する遠心分離機８と、該遠心分離機８により細胞から分離された廃液を収容する廃液収集容器９と、これらを制御する制御部１０とを備えている。
【００２３】
前記洗浄・消化容器３には、生体内に挿入されて生体組織を採取するカニュレのような吸引ノズル１１と、洗浄・消化容器３内を負圧に吸引する真空発生器１２とが接続されている。真空発生器１２を作動させ、洗浄・消化容器３内を負圧に吸引することにより、該洗浄・消化容器３に接続されている吸引ノズル１１から生体組織を洗浄・消化容器３内に吸引することができるようになっている。
【００２４】
前記輸液容器４は、例えば、ポリエチレン製の輸血バッグのように比較的柔らかい材質により構成されている。輸液容器４内に輸液を貯留すると、輸液にかかる重力によって輸液容器４が変形し、下側が膨らんだ形態をとるようになっている。
【００２５】
本実施形態に係る輸液加温装置１は、図２に示されるように、直方体のボックス状に形成され、前記輸液容器４を収容する保温室１３と、該保温室１３内に配置され輸液容器４内に貯留された状態の輸液を加熱する加熱部１４とを備えている。
保温室１３は、図２に示される例では、その一側面に配置され、ヒンジ１３ｆによって底面１３ａに対して水平軸線回りに揺動させられるように開閉される側部扉１３ｂと、その上面に配置され、上下方向に移動させられることにより上部開口１３ｃを開閉する上部扉１３ｄとを備えている。
【００２６】
前記加熱部１４は、側部扉１３ｂの内面およびこれに対向する側壁１３ｅ内面に配置された金属板（伝熱部材）１４ａと、該金属板１４ａを加熱するヒータ１４ｂとを備えている。金属板１４ａどうしの間隔寸法は、側部扉１３ｂが開かれたときには、保温室１３内部に収容する輸液容器４の厚さ寸法よりも大きくなり、側部扉１３ｂが閉じられたときには、輸液容器４の厚さ寸法より小さくなるように設定されている。
保温室１３を取り囲む側壁１３ｅ、底面１３ａ、側部扉１３ｂおよび上部扉１３ｄは、いずれも断熱材料により構成され、保温室１３内の熱が外部に漏れないように断熱するようになっている。
【００２７】
また、保温室１３の内部には、その底面１３ａ近傍に検出部１５ａを上方に向けて配置された温度センサ１５が備えられている。温度センサ１５は、保温室１３内に収容される輸液容器４の下部に接触させられて、輸液容器４を介して内部の輸液の温度を間接的に検出するようになっている。輸液容器４の下部には図示しない輸液出口が設けられているので、温度センサ１５は輸液出口近傍に接触させられるようになっている。
【００２８】
前記温度センサ１５および前記ヒータ１４ｂは、温度制御部１６に接続されている。温度制御部１６は、温度センサ１５からの検出信号を受けて、該検出信号が所定の温度範囲内に配されるようにヒータ１４ｂによる発熱量を制御するようになっている。
【００２９】
また、温度制御部１６には、温度設定部１７、温度表示部１８および警告表示部１９が接続されている。温度設定部１７は、オペレータの入力により輸液の所望の温度範囲を設定することができるようになっている。温度表示部１８は、温度センサ１５により検出された温度をオペレータにわかるように表示するようになっている。警告表示部１９は、温度センサ１５により検出された温度が温度設定部１７により設定された温度範囲外となったとき、これをオペレータに対して表示するようになっている。
【００３０】
また、温度制御部１６は、温度センサ１５により検出された温度が温度設定部１７により設定された温度範囲外となったとき、そのことを示す警告信号を細胞処理装置２の制御部１０に送るようになっている。警告信号を受けた制御部１０は、輸液加温装置１に異常が発生したものと判断し、細胞処理装置２の各機器を停止するよう制御する。
【００３１】
上部扉１３ｄは、底面１３ａから立ち上がるレール２０に沿って上下方向に移動可能に設けられたスライダ２１に固定されている。また、上部扉１３ｄの下部には、輸液容器４を懸架するフック２２が設けられている。これにより、上部扉１３ｄは、上方に移動させられることにより上部開口１３ｃを開放し、かつ、輸液容器４を懸架するフック２２を上方に引き出した引出位置と、下方に移動させられることにより上部開口１３ｃを閉塞し、かつ、フック２２を保温室１３内に配置する収容位置との間で移動させられるようになっている。
【００３２】
また、スライダ２１近傍には、図３および図４に示されるように、該スライダ２１を引出位置において係止し、解除されることによってスライダ２１の下降を許容するラッチ機構２３が設けられている。ラッチ機構２３は、スライダ２１の移動方向に直交する方向に進退させられる係合部材２３ａと、該係合部材２３ａの先端をスライダ２１に押し付ける方向に係合部材２３ａを付勢するスプリング２３ｂと、該スプリング２３ｂによる付勢力に抗して係合部材２３ａをスライダ２１から離れる方向に後退させるためのレバー２３ｃとを備えている。
【００３３】
スライダ２１を引出位置まで引き上げると、スプリング２３ｂの付勢力によって係合部材２３ａがスライダ２１の下縁の下方に突出することにより、スライダ２１が下降しないように係止されるようになっている。一方、スライダ２１を下降させるときには、レバー２３ｃを操作して係合部材２３ａを鎖線に示されるように後退させることにより、スライダ２１の下方から係合部材２３ａを離脱させ、スライダ２１の自由な下降を許容するようになっている。
【００３４】
このように構成された本実施形態に係る輸液加温装置１および細胞処理装置２の作用について、以下に説明する。
本実施形態に係る輸液加温装置１によれば、輸液を貯留した輸液容器４を保温室１３内に収容するには、図５に示されるように、側部扉１３ｂを開き、次いで、図６に示されるように、上部扉１３ｄを引き上げて引出位置に配置する。これにより、ラッチ機構２３が作動して、スライダ２１が引出位置に係止される。
【００３５】
この状態で、上部扉１３ｄに固定されたフック２２が保温室１３の上方に抜き出された状態に露出させられるので、操作者は、図６および図７に示されるように、輸液を貯留した輸液容器４を容易にフック２２に懸架させることができる。
そして、フック２２に輸液容器４を懸架させた後には、ラッチ機構２３を解除することによりスライダ２１の下降動作を許容する。これにより、フック２２に輸液容器４を懸架させた状態の上部扉１３ｄをスライダ２１によって下降させ、図８に示されるように、保温室１３内に配置することができる。
【００３６】
この場合に、保温室１３はその側部扉１３ｂが開かれた状態とされているので、保温室１３内の空間が広く確保されており、輸液によって膨らんだ状態の輸液容器４を容易に保温室１３内に収容することができる。そして、これにより、上部扉１３ｄによって保温室１３の上部開口１３ｃが閉じられる。
【００３７】
さらに、この状態で、図９に示されるように、側部扉１３ｂを閉じると、輸液容器４が保温室１３内に密閉状態に収容されるとともに、側部扉１３ｂおよびこれに対向する側壁１３ｅ内面に設けられた金属板１４ａ間に輸液容器４が挟まれる。金属板１４ａの間隔寸法は膨らんだ輸液容器４の厚さ寸法より小さく設定されているので、金属板１４ａ間に輸液容器４が挟まれると、輸液容器４が変形して金属板１４ａと輸液容器４とが広い接触面積で密着させられる。
【００３８】
この状態でヒータ１４ｂを作動させ、金属板１４ａを介してヒータ１４ｂの熱を輸液容器４に伝達する。これにより、ヒータ１４ｂの熱が広い接触面積で接触している熱伝導率の高い金属板１４ａを介して輸液容器４に供給されるので、輸液容器４内の輸液を効率的に加温することができる。また、保温室１３はその底面１３ａ、側部扉１３ｂ、側壁１３ｅおよび上部扉１３ｄが全て断熱部材により構成されているので、ヒータ１４ｂからの熱が保温室１３外に漏れることが抑制され、ヒータ１４ｂの熱を効率的に利用して輸液を加温することができる。
【００３９】
また、保温室１３内に収容された輸液容器４の下部には温度センサ１５が接触状態とされ、その温度を検出するので、温度制御部１６の作動により、輸液の温度が設定された温度範囲内となるようにヒータ１４ｂの発熱量が制御される。したがって、輸液容器４に貯留された状態の大量の輸液が所望の温度範囲に精度よく維持される。
【００４０】
さらに、本実施形態に係る輸液加温装置１によれば、温度センサ１５が輸液容器４の輸液出口近傍に配置されているので、輸液容器４から輸液が供給されることにより、輸液容器４内の輸液が減少していっても、温度センサ１５を輸液近傍の輸液容器４に接触状態に維持し、輸液の温度を精度よく検出することができる。
【００４１】
また、本実施形態に係る細胞処理装置２によれば、制御部１０の作動により、真空発生器１２が作動させられ、吸引ノズル１１を介して生体組織が洗浄・消化容器３に吸引されると、輸液加温装置１内の輸液容器４から洗浄・消化容器３に続く配管５が開放されるように所定のバルブ７が開かれて、ポンプ６の作動により輸液容器４内の輸液が配管５を介して洗浄・消化容器３に供給される。
【００４２】
そして、洗浄・消化容器３において輸液と生体組織とが攪拌されることにより、輸液によって生体組織が洗浄され、塵埃や血液等が輸液に流出する。塵埃や血液等が輸液に十分に流出した後には、制御部１０の作動によりバルブ７を切り替えて、洗浄・消化容器３から廃液収集容器９へ塵埃や血液等を含む輸液が排出される。
【００４３】
さらに、制御部１０の作動により、バルブ７が切り替えられて輸液容器４から洗浄・消化容器３へ輸液が供給されるとともに、図示しない消化酵素供給部から洗浄・消化容器３へ消化酵素が供給される。そして、洗浄・消化容器３において輸液と生体組織とが攪拌されることにより、生体組織の消化処理が行われる。
【００４４】
また、洗浄・消化容器３において生体組織が十分に消化されて、生体組織を構成していた細胞が単離されて細胞懸濁液が形成されると、制御部１０の作動により、バルブ７が切り替えられて洗浄・消化容器３から遠心分離機８の遠心分離容器８ａに向けて細胞懸濁液が送られる。そして、遠心分離機８が作動させられることにより、細胞懸濁液が遠心分離され、必要な細胞とそれ以外の不要成分とに分離される。
【００４５】
その後、制御部１０の作動により、遠心分離容器８ａから不要成分が吸引されて廃液収集容器９へと送られるよう、バルブ７およびポンプ６が制御される。その結果、遠心分離容器８ａ内に所望の細胞が分離された状態で抽出されることになる。
【００４６】
この場合において、本実施形態に係る細胞処理装置２によれば、洗浄・消化容器３へ輸液を送液する配管５において輸液を加温するのではなく、輸液を貯留する輸液容器４ごと保温室１３内において加温するので、所定の温度に加温された大量の輸液を短時間で洗浄・消化容器３に供給することができる。
【００４７】
したがって、洗浄処理においては、所定の温度に加温された輸液を洗浄・消化容器３に供給することにより、生体組織に不要な刺激、すなわち、極度に冷たかったり熱かったりすることによる刺激を与えることなく洗浄することができる。また、消化処理においては、所定の温度に加温された輸液を洗浄・消化容器３に供給することにより、消化酵素の活性を高めて、生体組織の消化を促進することができる。そして、所定の温度に加温された大量の輸液を短時間で供給できるので、洗浄処理あるいは消化処理に要する時間を短縮して、迅速な処理を行うことができる。
【００４８】
また、本実施形態に係る細胞処理装置２によれば、輸液加温装置１の温度センサ１５が所定の範囲外の温度を検出した場合に、温度制御部１６から出力される警報信号に基づいて制御部１０が装置全体の動作を停止するので、生体組織に不要な刺激を与えたり、消化酵素の活性を減殺するような温度の輸液が生体組織に対して供給されることを未然に防止することができる。オペレータは、細胞処理装置２が停止していることや、温度表示部１８あるいは警告表示部１９の表示を確認することで、容易に異常状態であることを認識でき、これに対する効果的な処置を迅速に施すことができる。
【００４９】
また、本実施形態に係る輸液加温装置１の保温室１３の輸液容器４が配置されることとなる空間の下方には、図１０に示されるように、該輸液容器４の下部に設けられた送出部４ａに送液配管３０を接続するためのスパイク機構３１が備えられていてもよい。
送液配管３０は、その先端に送出部４ａに刺し入れられる注射針３２と、該注射針３２を密封状態に被覆する着脱可能なキャップ３３とを備えている。
【００５０】
スパイク機構３１は、図１０に示される例では、注射針３２を支持してその長手方向に沿う方向に移動させる直線移動機構３４と、該直線移動機構３４を水平軸線回りに回転させる回転機構３５と、送液配管３０に備えられたキャップ３３を保持するキャップ保持部３６と、送液配管３０および輸液容器４の状態を監視するＣＣＤカメラ３７とを備えている。符号３４ａはスライダ、符号３８は、フック２２に輸液容器４が吊り下げられた状態で、送出部４ａが動かないように固定する固定部である。
【００５１】
キャップ３３を取り付けた送液配管３０の注射針は、略水平方向に配されてスパイク機構３１にセットされ、その状態でキャップ３３をキャップ保持部３６に固定するようになっている。注射針３２はキャップ３３により密封状態に被覆されているので、スパイク機構３１にセットされるまでの間で、塵埃や細菌等が付着することはない。
【００５２】
スパイク機構３１に輸液容器４がセットされると、ＣＣＤカメラ３７によりセットされたことが確認され、スパイク機構３１が作動させられる。
スパイク機構３１は、まず、直線移動機構３４の作動により、図１１に示されるように、注射針３２をその長手方向に後退させる方向に移動させることでキャップ保持部３６に保持されたキャップ３３から注射針３２を抜き出す。次いで、図１２に示されるように、回転機構３５を作動させて直線移動機構３４を回転させることで、該直線移動機構３４に支持されている注射針３２を水平軸線回りに回転させ、その先端を鉛直上方に向かわせる。
【００５３】
この状態で、ＣＣＤカメラ３７により、輸液容器４の状態および注射針３２の状態が確認される。輸液容器４の状態としては、例えば、封止シール（図示略）が剥がされていることなど、送出部４ａに注射針３２を刺すことができる状態であるか否か、あるいは汚れていないか否かが確認され、注射針３２の状態としては、例えば、キャップ３３が外されているか否かが確認される。
【００５４】
状態が確認された後には、図１３に示されるように、再度直線移動機構３４を作動させて、注射針３２を先端に向かって鉛直上方に直線移動させる。これにより、注射針３２の先端の鉛直上方に配置されている輸液容器４の送出部４ａに注射針３２を刺し入れることができる。
このようにすることで、送液配管３０を人手を介在させることなく無菌的に輸液容器４に接続することができる。したがって、細菌等のコンタミネーションの発生をより確実に防止することができる。
【図面の簡単な説明】
【００５５】
【図１】本発明の一実施形態に係る細胞処理装置を示す全体構成図である。
【図２】本発明の一実施形態に係る輸液加温装置を示す全体構成図である。
【図３】図２の輸液加温装置のラッチ機構を示す縦断面図である。
【図４】図３のラッチ機構の動作を説明する図であり、（ａ）上部扉を閉じた状態、（ｂ）上部扉を開いた状態をそれぞれ示している。
【図５】図２の輸液加温装置の側部扉を開いた状態を示す縦断面図である。
【図６】図５の状態からさらに上部扉を開いた状態を示す縦断面図である。
【図７】図６の状態からさらに輸液容器をフックに懸架させた状態を示す縦断面図である。
【図８】図７の状態からさらに上部扉を閉じた状態を示す縦断面図である。
【図９】図８の状態からさらに側部扉を閉じた状態を示す縦断面図である。
【図１０】図２の輸液加温装置の保温室に設けられたスパイク機構を示す正面図である。
【図１１】図１０の状態から送液配管の注射針をキャップから抜き出す動作を説明する正面図である。
【図１２】図１１の状態から注射針を輸液容器下部の送液部に向ける動作を説明する正面図である。
【図１３】図１２の状態から注射針を送液部に刺し入れる動作を説明する正面図である。
【符号の説明】
【００５６】
１  輸液加温装置
２  細胞処理装置
３  洗浄・消化容器（洗浄容器、消化容器）
４  輸液容器
５  配管（輸液供給部）
６  ポンプ（輸液供給部）
７  バルブ（輸液供給部）
１３  保温室
１３ｂ  側部扉（扉）
１３ｄ  上部扉（上部開閉扉）
１４  加熱部
１４ａ  金属板（伝熱部材）
１４ｂ  ヒータ
１５  温度センサ
１６  温度制御部（制御部）
１８  温度表示部
１９  警告表示部（警報部）
２２  フック（容器支持部）
【図１】
2009056286.tif 000003
【図２】
2009056286.tif 000004
【図３】
2009056286.tif 000005
【図４】
2009056286.tif 000006
【図５】
2009056286.tif 000007
【図６】
2009056286.tif 000008
【図７】
2009056286.tif 000009
【図８】
2009056286.tif 000010
【図９】
2009056286.tif 000011
【図１０】
2009056286.tif 000012
【図１１】
2009056286.tif 000013
【図１２】
2009056286.tif 000014
【図１３】
2009056286.tif 000015